(57)【要約】【課題】タブレット型のパソコンを支承する軸の後側に奥行きが残るように、ステーション本体上に軸を配置したノート型のパソコンのタブレット型のパソコンを閉じたときの見栄え改善すること。【解決手段】ステーション本体４に対して開閉可能に設けられたタブレット型のパソコン２を支承する軸の後側にステーション本体４の奥行きＬが残るように、ステーション本体４上に軸を配置したノート型のパソコン１において、軸（軸の「軸心Ｏ」のみを示す）の後方で支承され、タブレット型のパソコン２を閉じた場合に開閉可能となり、閉じた場合に外表面６Ａが閉じたタブレット型のパソコン２の外表面と面一となり、軸の後側に残るステーション本体の奥行き部分、すなわち、段部４４およびＶ字状の溝Ｇと、装着部５を覆うカバー６を備えたので、ステーション本体４上に軸を配置したノート型のパソコン１のタブレット型のパソコン２を閉じたときの見栄えが改善される。【選択図】図４
2014096052.tif 000002
【特許請求の範囲】
【請求項１】
基体に対して開閉可能に設けられた開閉体を支承する軸の後側に基体の奥行きが残るように、基体上に前記軸を配置した電子機器において、
前記軸の後方で支承され、開閉体を閉じた場合に開閉可能となり、閉じた場合に外表面が閉じた開閉体の外表面と面一となり、前記軸の後側に残る基体の奥行き部分を覆うカバーを備えたことを特徴とする電子機器。
【請求項２】
前記カバーは、前記軸の後方に設けたカバー軸に支承されたことを特徴とする請求項１に記載の電子機器。
【請求項３】
前記カバーが開いた状態で前記カバーに所定の大きさを超える力が作用した場合にカバーがカバー軸から外れるように、前記カバーがカバー軸に支承されたことを特徴とする請求項２に記載の電子機器。
【請求項４】
前記開閉体と前記カバーとの間に設けられ、前記開閉体を閉じた状態から開いた場合に閉じているカバーを開かせる開閉機構を備えたことを特徴とする請求項１〜３のいずれか一つに記載の電子機器。
【請求項５】
前記開閉機構は、前記開閉体と前記基体とに支持され、前記開閉体を閉じた状態から開いた場合に閉じているカバーを押圧することにより、閉じているカバーを開かせるリンク機構を有することを特徴とする請求項４に記載の電子機器。
【請求項６】
前記開閉機構は、前記開閉体を開いた状態から閉じた場合に前記カバーを閉じさせる連係手段を有することを特徴とする請求項５に記載の電子機器。
【請求項７】
前記連係手段は、前記リンク機構を構成する金属製の板状体と、該板状体に対向するように前記カバーに設けられた磁石とを有することを特徴とする請求項６に記載の電子機器。
【請求項８】
前記軸の後側に残る基体の奥行き部分にセキュリティロックを繋ぐヒッチを引き出し可能に設けたことを特徴とする１〜７のいずれか一つに記載の電子機器。
【請求項９】
前記開閉体は、前記軸に支承された基部と、該基部に搭載されたタブレット型の電子機器とで構成されたことを特徴とする請求項１〜８のいずれか一つに記載の電子機器。
【発明の詳細な説明】
【技術分野】
【０００１】
本発明は、開閉体を支承する軸の後側に基体の奥行きが残るように、基体上に軸を配置した電子機器に関する。
【背景技術】
【０００２】
タブレット型のパソコンをステーションに装着したノート型のパソコンのように、基体よりも開閉体が重い電子機器は、従来のノート型のパソコンのように、開閉体を支承する軸を基体の後端に配置すると、開閉体を開いたときに開閉体側に倒れるので、開閉体を支承する軸の後側に基体の奥行きが残るように、基体上に軸が配置される（たとえば、特許文献１参照）。
【先行技術文献】
【特許文献】
【０００３】
【特許文献１】特開２００５−１５８０１３号公報
【発明の概要】
【発明が解決しようとする課題】
【０００４】
しかしながら、開閉体を支承する軸の後側に基体の奥行きが残るように、基体上に軸を配置すると、基体の軸よりも後側となる領域に開閉体の可動域を設ける必要があり、開閉体を閉じたときに基体と開閉体との間に段差やＶ字状の溝が残り、そのままでは電子機器の見栄えが損なわれる。
【０００５】
本発明は、上記に鑑みてなされたものであって、開閉体を支承する軸の後側に奥行きが残るように、基体上に軸を配置した電子機器の開閉体を閉じたときの見栄えを改善することを課題とする。
【課題を解決するための手段】
【０００６】
上述した課題を解決し、目的を達成するために、本発明は、基体に対して開閉可能に設けられた開閉体を支承する軸の後側に基体の奥行きが残るように、基体上に前記軸を配置した電子機器において、前記軸の後方で支承され、開閉体を閉じた場合に開閉可能となり、閉じた場合に外表面が閉じた開閉体の外表面と面一となり、前記軸の後側に残る基体の奥行き部分を覆うカバーを備えたことを特徴とする。
【０００７】
また、本発明は、上記発明において、前記カバーは、前記軸の後方に設けたカバー軸に支承されたことを特徴とする。
【０００８】
また、本発明は、上記発明において、前記カバーが開いた状態で前記カバーに所定の大きさを超える力が作用した場合にカバーがカバー軸から外れるように、前記カバーがカバー軸に支承されたことを特徴とする。
【０００９】
また、本発明は、上記発明において、前記開閉体と前記カバーとの間に設けられ、前記開閉体を閉じた状態から開いた場合に閉じているカバーを開かせる開閉機構を備えたことを特徴とする。
【００１０】
また、本発明は、上記発明において、前記開閉機構は、前記開閉体と前記基体とに支持され、前記開閉体を閉じた状態から開いた場合に閉じているカバーを押圧することにより、閉じているカバーを開かせるリンク機構を有することを特徴とする。
【００１１】
また、本発明は、上記発明において、前記開閉機構は、前記開閉体を開いた状態から閉じた場合に前記カバーを閉じさせる連係手段を有することを特徴とする。
【００１２】
また、本発明は、上記発明において、前記連係手段は、前記リンク機構を構成する金属製の板状体と、該板状体に対向するように前記カバーに設けられた磁石とを有することを特徴とする。
【００１３】
本発明は、上記発明において、前記軸の後側に残る基体の奥行き部分にセキュリティロックを繋ぐヒッチを引き出し可能に設けたことを特徴とする。
【００１４】
また、本発明は、上記発明において、前記開閉体は、前記軸に支承された基部と、該基部に搭載されたタブレット型の電子機器とで構成されたことを特徴とする。
【発明の効果】
【００１５】
本発明にかかる電子機器は、軸の後方で支承され、開閉体を閉じた場合に開閉可能となり、閉じた場合に外表面が閉じた開閉体の外表面と面一となり、軸の後側に残る基体の奥行き部分を覆うカバーを備えたので、基体上に軸を配置した電子機器の開閉体を閉じたときの見栄えが改善される。
【図面の簡単な説明】
【００１６】
【図１】図１は、本発明の実施の形態であるノート型のパソコンを示す斜視図である。
【図２】図２は、図１に示したノート型のパソコンの開閉体を閉じた状態を示す斜視図である。
【図３】図３は、図１に示したノート型のパソコンの開閉体を閉じた状態を示す側面図であって、カバーを省略した状態を示す図である。
【図４】図４は、図１に示したノート型のパソコンの要部を示す拡大断面図であり、基体に対して開閉体を閉じた状態を示す図である。
【図５】図５は、図１に示したノート型のパソコンの要部を示す拡大断面図であり、基体に対して開閉体を４５度開いた状態を示す図である。
【図６】図６は、図１に示したノート型のパソコンの要部を示す拡大断面図であり、基体に対して開閉体を９０度開いた状態を示す図である。
【図７】図７は、図１に示したノート型のパソコンの要部を示す拡大断面図であり、基体に対して開閉体を１３５度開いた状態を示す図である。
【図８】図８は、カバーとカバーを支承するカバー軸との関係を示す断面図である。
【図９】図９は、カバーがカバー軸から外れた状態を示す図である。
【図１０】図１０は、カバーを開いた状態を示す図であって、開閉機構を示す図である。
【図１１】図１１は、段部の右側面に設けたヒッチを示す図である。
【発明を実施するための形態】
【００１７】
以下に、本発明にかかる電子機器の実施の形態を図面に基づいて詳細に説明する。ここでは、タブレット型のパソコンをステーションに装着したノート型のパソコンを例に説明するが、タブレット型のパソコンをステーションに装着したノート型のパソコンにこの発明が限定されるものではない。
【００１８】
図１は、本発明にかかる本発明の実施の形態であるノート型のパソコンを示す斜視図であり、図２は、図１に示したノート型のパソコンの開閉体を閉じた状態を示す斜視図である。また、図３は、図１に示したノート型のパソコンの開閉体を閉じた状態を示す側面図であって、カバーを省略した状態を示す図である。
【００１９】
図１および図２に示すように、本発明の実施の形態であるノート型のパソコン１は、タブレット型のパソコン２をステーション３に装着したものである。
【００２０】
タブレット型のパソコン２は、単独でも使用されることから、表示器２１のほか、制御基板（図示せず）、バッテリー（図示せず）などが搭載され、従来のノート型パソコンの蓋体よりも重量の大きなものとなる。
【００２１】
図１に示すように、ステーション３は、ステーション本体４と、タブレット型のパソコン２を装着する装着部５とを備えて構成してある。ステーション本体４は、使用する場合に机の上や膝の上に載せられる部分であり、基体となり、装着部５は、タブレット型のパソコン２を装着する部分であり、タブレット型のパソコン２とともに、基体に対して開閉可能に設けられた開閉体となる。
【００２２】
ステーション本体４には、その上面に操作キー４１やタッチパッド４２からなるキーボード４３が設けてあり、装着部５には、タブレット型のパソコン２に接続するコネクタ（図示せず）が設けてある。これにより、ステーション本体４の上面に設けたキーボード４３は、装着部５に装着したタブレット型のパソコン２の入力機能を強化する。
【００２３】
図３に示すように、装着部５は、ステーション本体４に対して回動可能に取り付けてあり、装着部５を回動可能に支承する軸（軸の「軸心Ｏ」のみを示す）は、軸の後側にステーション本体４の奥行きＬが残るように、ステーション本体４の上に配置してある。これにより、本実施の形態であるノート型のパソコン１は、基体に対して開閉可能に設けられた軸の後側に基体の奥行きが残るように、基体上に軸を配置した電子機器となる。
【００２４】
そして、このように、軸の後側にステーション本体４の奥行きＬが残るように、軸をステーション本体４の上に配置したノート型のパソコン１は、装着したタブレット型のパソコン２が従来のノート型のパソコンの蓋体よりも重量が大きい場合であっても、軸の後側となる領域（奥行きＬ）に支えられ、タブレット型のパソコン２側に倒れることがない。
【００２５】
図４〜図７は、図１に示したノート型のパソコンの要部を示す拡大断面図である。図４〜図７に示すように、ステーション本体４の上面、軸（軸の「軸心Ｏ」のみを示す）の後側には、段部４４が設けてある。段部４４は、ステーション本体４に対してタブレット型のパソコン２を閉じた場合にステーション本体４と装着部５との間に段差が生じないようにするためのもので、軸側に傾斜面４４ａを有している。傾斜面４４ａは、装着部５が回動するための空間を形成するためのもので、傾斜面４４ａの傾斜角度がタブレット型のパソコン２の開放可能角度を規定し、ステーション本体４に対してタブレット型のパソコン２を閉じた場合に装着部５との間にＶ字状の溝（空間）Ｇが生じる。本実施の形態では、タブレット型のパソコン２の開放可能角度を１３５度に規定してあり、タブレット型のパソコン２は、ステーション本体４に対して０度から１３５度の間、任意の角度まで開放することができる。
【００２６】
図２に示すように、ステーション本体４の上面後側には、樹脂製のカバー６が設けてある。カバー６は、軸の後側に残る奥行き部分を覆うためのもので、軸の後側に残る奥行き部分、すなわち、段部４４およびＶ字状の溝Ｇと、装着部５とを覆う大きさと、軸の後側に残る奥行き部分を覆ったときに外表面６Ａがタブレット型のパソコン２の外表面２Ａと面一となる厚みを有している。
【００２７】
図８は、カバーとカバーを支承するカバー軸との関係を示す断面図であり、図９は、カバーがカバー軸から外れた状態を示す図である。図８に示すように、カバー６には、軸穴６ｂが形成され、軸の後方となる段部４４（図４参照）の後縁に設けたカバー軸４５（図４〜７においてカバー軸の「軸心Ｏ２」のみを示す）に支承されている。これにより、カバー６は、ステーション本体４に対してタブレット型のパソコン２を閉じた場合に開閉可能となり、図４に示すように、軸の後側に残る奥行き部分に対してカバー６を閉じると、軸の後側に残る奥行き部分、すなわち、段部４４およびＶ字状の溝Ｇと、装着部５を覆い、カバー６の外表面６Ａが閉じたタブレット型のパソコン２の外表面２Ａと面一となる。この結果、本発明の実施の形態であるノート型のパソコン１は、軸の後方で支承され、開閉体を閉じた場合に開閉可能となり、閉じた場合に外表面が閉じた開閉体の外表面と面一となり、軸の後側に残る基体の奥行き部分を覆うカバーを備えた電子機器となる。
【００２８】
ところで、図８に示すように、カバー６に設けた軸穴６ｂとカバー軸４５の嵌合代Ｌ２は、カバー６が開いた状態でカバー６に所定の大きさを超える力が作用した場合に、カバー６がカバー軸４５から外れるように設定してある（図９参照）。所定の大きさの力は、たとえば、３ｋｇｆであり、この場合には、カバー６が開いた状態でカバー６に３ｋｇｆの大きさを超える力が作用すると、カバー６がカバー軸４５から外れる。これにより、本発明の実施の形態であるノート型のパソコン１は、カバーが開いた状態でカバーに所定の大きさを超える力が作用した場合にカバーがカバー軸から外れるように、カバーがカバー軸に支承された電子機器となる。
【００２９】
図１０は、カバーを開いた状態を示す図であって、開閉機構を示す図である。図１０に示すように、装着部５とカバー６との間には、開閉機構７を備えている。開閉機構７は、タブレット型のパソコン２を閉じた状態から開いた場合に、閉じているカバー６を開かせるとともに、タブレット型のパソコン２を開いた状態から閉じた場合に開いているカバー６を閉じさせるためのもので、ステーション本体４の幅方向２箇所にそれぞれリンク機構８と連係手段９とを有している。これにより、本発明の実施の形態であるノート型のパソコン１は、開閉体とカバーとの間に設けられ、開閉体を閉じた状態から開いた場合に閉じているカバーを開かせる開閉機構を備えた電子機器となり、開閉体を開いた状態から閉じた場合に開いているカバーを閉じさせる開閉機構を有する電子機器となる。
【００３０】
リンク機構８は、タブレット型のパソコン２を閉じた状態から開いた場合に、閉じているカバー６を押圧することにより、閉じているカバー６を開かせるもので、金属製の板状体８１の一端と金属製の線状体８２の一端とを組み合わせることにより構成してある。これにより、板状体８１は線状体８２に対して回動可能となり、線状体８２は板状体８１に対して回動可能となる。また、板状体８１の他端は、ステーション本体４に設けた段部４４に支承され、線状体８２の他端は、装着部５に支承される。これにより、図４に示すように、タブレット型のパソコン２を閉じた状態において板状体８１の一端は装着部５に設けた凹部５ａに収容され、図５〜図７に示すように、タブレット型のパソコン２を閉じた状態から開いた場合に、板状体８１の一端は、装着部５の凹部５ａから装着部５の域外に突出する。
【００３１】
連係手段９は、タブレット型のパソコン２を開いた状態から閉じた場合に、開いているカバー６を閉じさせるもので、図１０に示すように、板状体８１とカバー６の板状体８１に対向する位置に設けた磁石９１とにより構成してある。これにより、カバー６に設けた磁石９１は、板状体８１に吸着され、タブレット型のパソコン２を開いた状態から閉じた場合に、開いているカバー６は、装着部５に連動して閉じる。
【００３２】
図１１は、段部の右側面に設けたヒッチを示す図である。図１１に示すように、段部４４の右側面には、ヒッチ４６が設けてある。ヒッチ４６は、セキュリティロック（図示せず）を繋ぐためのもので、カバー６を開放した状態で引き出し可能となり、ヒッチ４６を引き出した状態でカバー６が閉塞可能となる。
【００３３】
上述した本発明の実施の形態であるノート型のパソコン１は、図４に示すように、タブレット型のパソコン２の閉操作と連係してカバー６が閉じられる。具体的には、タブレット型のパソコン２の閉操作により、リンク機構８を構成する板状体８１の一端が装着部５の域外から装着部５の凹部５ａに収容され、これにともない、カバー６に設けた磁石９１が板状体８１の一端に吸着された状態で、カバー６を開位置から閉位置に移動させる。これにより、ステーション本体４に対してタブレット型のパソコン２を閉じると、カバー６が閉じられる。このとき、タブレット型のパソコン２を装着した装着部５を支承する軸の後側に残るステーション本体４の奥行き部分、すなわち、段部４４およびＶ字状の溝Ｇと、タブレット型のパソコン２を装着した装着部５を覆い、カバー６の外表面６Ａが閉じたタブレット型のパソコン２の外表面２Ａと面一となる。
【００３４】
このように、ステーション本体４に対してタブレット型のパソコン２を閉じた状態で、カバー６は独立して開閉可能であり、カバー６に設けた磁石９１の板状体８１に対する吸着力に抗してカバー６を開操作すると、カバー６は独立して開くことができる。これにより、図１１に示すように、ヒッチ４６が引き出し可能となるので、ヒッチ４６を引き出せば、セキュリティロックを繋ぐことができる。
【００３５】
また、図９に示すように、カバー６を開いた状態でカバー６に所定の大きさを超える力が作用した場合には、カバー６に設けた軸穴６ｂがカバー軸４５から外れることにより、カバー６がステーション本体４の段部４４から外れる。
【００３６】
一方、図５〜図７に示すように、タブレット型のパソコン２の開操作に連係してカバー６が開かれる。具体的には、タブレット型のパソコン２の開操作により、リンク機構８を構成する板状体８１の一端が装着部５の凹部５ａから装着部５の域外に突出する。これにともない、板状体８１の一端がカバー６に設けた磁石９１を押圧し、カバー６に設けた磁石９１が板状体８１の一端に吸着された状態で、板状体８１の一端がカバー６（カバー６に設けた磁石９１）を押圧し、カバー６を閉位置から開位置に移動させる。これにより、ステーション本体４に対してタブレット型のパソコン２を開くと、カバー６が開かれる。
【００３７】
上述した本発明の実施の形態であるノート型のパソコン１は、軸の後方で支承され、タブレット型のパソコン２を閉じた場合に開閉可能となり、閉じた場合に外表面が閉じたタブレット型のパソコン２の外表面２Ａと面一となり、軸の後側に残るステーション本体４の奥行き部分、すなわち、段部４４およびＶ字状の溝Ｇと、装着部５を覆うカバー６を備えたので、ステーション本体４上に軸を配置したノート型のパソコン１のタブレット型のパソコン２を閉じたときの見栄えが改善される。
【００３８】
また、カバー６が開いた状態で所定の大きさを超える力が作用すると、カバー６がカバー軸４５から外れるので、カバー６に過大な力が作用しても樹脂製のカバーが割れることはない。
【００３９】
また、タブレット型のパソコン２を閉じた状態から開いた場合に、閉じているカバー６を開かせるとともに、タブレット型のパソコン２を開いた状態から閉じた場合に開いているカバー６を閉じさせる開閉機構７を備えているので、カバー６の開操作をタブレット型のパソコン２の開操作と独立して行う必要もなければ、カバー６の閉操作をタブレット型のパソコン２の閉操作と独立して行う必要もない。
【００４０】
上述した本発明の実施の形態であるノート型のパソコン１は、タブレット型のパソコン２をステーション３に装着したものであるが、開閉体を支承する軸の後側に基体の奥行きが残るように、基体上に軸を配置した電子機器であればよく、たとえば、蓋体を支承する軸の後側にパソコン本体の奥行きが残るように、パソコン本体上に軸を配置したノート型のパソコンであってもよい。
【００４１】
また、上述した本発明の実施の形態であるノート型のパソコン１は、連係手段９を、リンク機構８を構成する金属製の板状体８１と、該板状体８１に対向するようにカバー６に設けられた磁石９１で構成したが、たとえば、カバー６を閉方向に常時付勢するネジリコイルバネをカバー軸のまわりに装着することにより構成してもよい。
【符号の説明】
【００４２】
１    ノート型のパソコン
２    タブレット型のパソコン
２Ａ    外表面
２１    表示器
３    ステーション
４    ステーション本体
４１    操作キー
４２    タッチパッド
４３    キーボード
４４    段部
４４ａ    傾斜面
４５    カバー軸
４６    ヒッチ
５    装着部
５ａ    凹部
６    カバー
６Ａ    外表面
６ｂ    軸穴
７    開閉機構
８    リンク機構
８１    板状体
８２    線状体
９    連係手段
９１    磁石
Ｇ    溝
Ｌ    軸の後側に残る奥行き
Ｌ２    嵌合代
Ｏ    軸の軸心
Ｏ２    カバー軸の軸心
【図１】
2014096052.tif 000003
【図２】
2014096052.tif 000004
【図３】
2014096052.tif 000005
【図４】
2014096052.tif 000006
【図５】
2014096052.tif 000007
【図６】
2014096052.tif 000008
【図７】
2014096052.tif 000009
【図８】
2014096052.tif 000010
【図９】
2014096052.tif 000011
【図１０】
2014096052.tif 000012
【図１１】
2014096052.tif 000013